(57)【特許請求の範囲】
【請求項１】
第１スクリーン（１８）と第１スクリーン（１８）の後方に平行に配置される第２スクリーン（１９）とを有し、第１スクリーン（１８）と第２スクリーン（１９）とは、それぞれ異なる光の透過率を持つ部分（１８ａ、１８ｂ、１９ａ、１９ｂ）を有し、第１スクリーン（１８）及び第２スクリーン（１９）の少なくとも一方は、その一端が巻取パイプに巻取り、巻解き可能に連結されており、該一方のスクリーンが巻取パイプから完全に巻き解かれた状態からさらにスクリーン巻解方向に巻取パイプが回転することが許容されており、前記スクリーンが完全に巻き解かれた状態と、前記スクリーンが巻取パイプから完全に巻き解かれた状態からさらにスクリーン巻解方向に巻取パイプが回転した状態との間において該スクリーンが前後方向に移動することで、第１スクリーン（１８）と第２スクリーン（１９）の前後方向の距離が変化可能となっており、該距離を変化させることにより光量が調整可能となったことを特徴とするロールスクリーン。
【請求項２】
第１スクリーン（１８）及び第２スクリーン（１９）は、共に光の透過率の高い高透過部（１８ｂ、１９ｂ）と光の透過率の低い低透過部（１８ａ、１９ａ）とを有しており、第１スクリーン（１８）と第２スクリーン（１９）とが所定の高さ関係を満足したときに、第１スクリーン（１８）の高透過部（１８ｂ）に対応する部分が第２スクリーン（１９）の低透過部（１９ａ）になっていると共に、第２スクリーン（１９）の高透過部（１９ｂ）に対応する部分が第１スクリーン（１８）の低透過部（１８ａ）となっていることを特徴とする請求項１記載のロールスクリーン。
【請求項３】
第１スクリーン（１８）及び第２スクリーン（１９）は、共に光の透過率の高い高透過部（１８ｂ、１９ｂ）と光の透過率の低い低透過部（１８ａ、１９ａ）とを有しており、第１スクリーン（１８）と第２スクリーン（１９）とが所定の高さ関係を満足したときに、第１スクリーン（１８）の低透過部（１８ａ）が、第２スクリーン（１９）の高透過部（１９ｂ）を覆い隠し、第２スクリーン（１９）の低透過部（１９ａ）が第１スクリーン（１８）の高透過部（１８ｂ）を覆い隠すことを特徴とする請求項１記載のロールスクリーン。
【請求項４】
第１スクリーン（１８）の低透過部（１８ａ）に対応して第２スクリーン（１９）は第１スクリーン（１８）の低透過部（１８ａ）と相似形の高透過部（１９ｂ）となっており、または、第２スクリーン（１９）の低透過部（１９ａ）に対応して第１スクリーン（１８）は第２スクリーン（１９）の低透過部（１９ｂ）の相似形の高透過部（１８ｂ）となっていることを特徴とする請求項３記載のロールスクリーン。
【発明の詳細な説明】
【０００１】
【発明の属する技術分野】
本発明は、ロールスクリーンに関し、特に複数のスクリーンを用いて光量を調整することができるようになったロールスクリーンに関するものである。
【０００２】
【従来の技術】
従来、この種のロールスクリーンとしては、実開昭６２−１９００９２号公報に記載されたものが知られている。これによれば、略長方形のシートに細長透光部を所定間隔をおいて多数並設したシート複数枚を透光部の細長方向が一致するようにして重層し、シートの少なくとも一枚を透光部の細長方向の直交方向にスライドさせる機構を備えている。この機構として、シートの上端が連結された回転体と、該回転体を回転させる回転ツマミとが備えられており、回転つまみを回転させることにより、回転体を回転して、シートを細長方向の直交方向にスライドさせることができるようになっている。そして、互いのシートの透光部が細長方向に一致しているときには、光線の通過量が最大となり、シートの透光部を他のシートの透光部間の非投光部に重ねることにより、段階的に遮蔽を行うことが記載されている。
【０００３】
【発明が解決しようとする課題】
しかしながら、上記公報に記載のものは、シートを上下にスライドさせて光量の調整を行うために、シートを上方向にスライドさせると、シートの下側が開いてしまいそこから光量が漏れるおそれがある。または、複数シートの高さがばらついてしまい見栄えが悪くなるおそれもある。かかる問題を回避するためには、上記公報の一実施例に示されたように、シートをエンドレスにしなければならないが、そのようにすると、シートを完全に開放させることはできなくなる。
【０００４】
本発明はかかる課題に鑑みなされたもので、光量を調整したいときにスクリーンの上下動を不要とすることができるロールスクリーンを提供することを目的とする。
【０００５】
【課題を解決するための手段】
前述した目的を達成するために、請求項１記載の発明によるロールスクリーンは、第１スクリーンと第１スクリーンの後方に平行に配置される第２スクリーンとを有し、第１スクリーンと第２スクリーンとは、それぞれ異なる光の透過率を持つ部分を有し、第１スクリーン及び第２スクリーンの少なくとも一方は、その一端が巻取パイプに巻取り、巻解き可能に連結されており、該一方のスクリーンが巻取パイプから完全に巻き解かれた状態からさらにスクリーン巻解方向に巻取パイプが回転することが許容されており、前記スクリーンが完全に巻き解かれた状態と、前記スクリーンが巻取パイプから完全に巻き解かれた状態からさらにスクリーン巻解方向に巻取パイプが回転した状態との間において該スクリーンが前後方向に移動することで、第１スクリーンと第２スクリーンの前後方向の距離が変化可能となっており、該距離を変化させることにより光量が調整可能となることを特徴とする。第１スクリーンと第２スクリーンの前後方向の距離を変化させることによって、光量を調整することが可能になるため、従来のように光量調整のために一方のスクリーンを上下動する必要がなく、そのため、遮光するときに、スクリーンの下側が開いたりすることを回避することができる。また、第１スクリーンと第２スクリーンの少なくとも一つのスクリーンを巻取パイプに巻取可能に連結し、巻取パイプの回転によってスクリーンを昇降させることにより、多様なスクリーン態様を実現することができる。
【０００６】
請求項２記載の発明は、第１スクリーン及び第２スクリーンは、共に光の透過率の高い高透過部と光の透過率の低い低透過部とを有しており、第１スクリーンと第２スクリーンとが所定の高さ関係を満足したときに、第１スクリーンの高透過部に対応する部分が第２スクリーンの低透過部になっていると共に、第２スクリーンの高透過部に対応する部分が第１スクリーンの低透過部となっていることを特徴とする。これにより、第１スクリーンと第２スクリーンとが所定の高さ関係を満足したときに、第１スクリーンと第２スクリーンとの前後方向の距離を小さくすると、一方のスクリーンの低透過部が他方のスクリーンの高透過部と重なり合うために、遮光を行うことができる。第１スクリーンと第２スクリーンの柄を任意の柄とすることができる。
【０００７】
請求項３記載の発明は、第１スクリーン及び第２スクリーンは、共に光の透過率の高い高透過部と光の透過率の低い低透過部とを有しており、第１スクリーンと第２スクリーンとが所定の高さ関係を満足したときに、第１スクリーンの低透過部が、第２スクリーンの高透過部を覆い隠し、第２スクリーンの低透過部が第１スクリーンの高透過部を覆い隠すことを特徴とする。これにより、第１スクリーンと第２スクリーンとが所定の高さ関係を満足したときに、第１スクリーンと第２スクリーンとの前後方向の距離を小さくすると、一方のスクリーンの低透過部が他方のスクリーンの高透過部を覆い隠すようになるために、確実に遮光を行うことができる。
【０００８】
請求項４記載の発明は、請求項３記載のものにおいて、第１スクリーンの低透過部に対応して第２スクリーンは第１スクリーンの低透過部と相似形の高透過部となっており、または、第２スクリーンの低透過部に対応して第１スクリーンは第２スクリーンの低透過部の相似形の高透過部となっていることを特徴とする。第１スクリーンと第２スクリーンを互いに相似形の柄を持つようにすることができ、それぞれの柄を楽しむことができる。
【０００９】
【発明の実施の形態】
以下、図面を用いて本発明の実施の形態を説明する。
【００１０】
図１は本発明の参考形態に係るロールスクリーンの全体図を表したものである。図において、ロールスクリーン１０は、窓枠等にブラケット等により取り付けられるセットフレーム１２の両端に取り付けられた一対のサイドプレート１４を有しており、一対のサイドプレート１４の間に２つの巻取パイプ１６、１７が回転可能に支持されている。巻取パイプ１６と巻取パイプ１７は、前後位置が異なっており、巻取パイプ１７は、巻取パイプ１６の後方に平行に配設される。巻取パイプ１６、１７にはスクリーン１８、１９の一端がそれぞれ連結されており、スクリーン１８、１９は巻取パイプ１６、１７に巻取り及び巻解き可能となっている。スクリーン１８、１９のそれぞれの下端には、ウエイトバー２０、２１が連結されている。
【００１１】
図示を省略するが、巻取パイプ１６、１７には、それぞれその内部に、巻取パイプ１６、１７に対して常時スクリーン巻取方向に回転させる力を加える巻取スプリングと、巻取パイプ１６、１７の回転を停止させる状態と回転を許容する状態に切り換えるストッパ装置とが配設される。
【００１２】
スクリーン１８、１９を下方に少し引いて、ストッパ装置を解除すると、巻取パイプ１６、１７が回転できるようになり、巻取スプリングの蓄勢力により巻取パイプ１６、１７がスクリーン巻取方向へと回転する。これにより、スクリーン１８、１９が巻取パイプ１６、１７に巻き取られていき、それぞれのウエイトバー２０、２１が上昇することができる（図２は、スクリーン１８のウエイトバー２０のみが上昇した状態を表す）。または、スクリーン１８、１９を下方にそのまま引くと、ストッパ装置は巻取パイプ１６、１７のスクリーン巻解方向の回転を許容し、スクリーン１８、１９が巻取パイプ１６、１７から巻き解かれて、ウエイトバー２０、２１が下降することができる。任意の高さで、スクリーン１８、１９の下降操作を停止すると、ストッパ装置が作動して、巻取パイプ１６、１７の回転を禁止するために、その任意の高さでスクリーン１８、１９は維持される。
【００１３】
スクリーン１８、１９は、それぞれ異なる光の透過率を持つ部分を有している。異なる透過率の種類は２種類以上とすることもできるが、この例では、スクリーン１８は、光を透過する透過率の高い高透過部１８ｂと、光をほとんど遮蔽する透過率の低い低透過部１８ａと、を有している。同様に、スクリーン１９は、光を透過する透過率の高い高透過部１９ｂと、光をほとんど遮蔽する透過率の低い低透過部１９ａと、を有している。２枚のスクリーン１８とスクリーン１９は、それぞれその高さがほぼ同一の高さとなっている状態において、スクリーン１８の高透過部１８ｂに対応する部分は、スクリーン１９の低透過部１９ａとなっており、スクリーン１９の高透過部１９ｂに対応する部分は、スクリーン１８の低透過部１８ａとなっている。即ち、スクリーン１８とスクリーン１９は、その透過率の関係が反転しており、高透過部１８ｂ、１９ｂと低透過部１８ａ、１９ａとの組み合わせにより、任意の柄を形成することができる。図３に示したように、このスクリーン１８とスクリーン１９の高透過部と低透過部との関係は、互いに完全に反転したものとすることができる。この場合、高透過部１８ｂとそれに対応する低透過部１９ａの面積及び形状を全く同一にし、低透過部１８ａとそれに対応する高透過部１９ｂの面積及び形状を全く同一にすることができるが、これに限るものではない。図３に示したように、低透過部１８ａとそれに対応する高透過部１９ｂとを相似形状とすることができる(尚、その代わりに、高透過部１８ｂとそれに対応する低透過部１９ａを相似形状とすることもできる)。そして、低透過部１９ａが高透過部１８ｂを覆い隠すように、低透過部１９ａの方の面積を高透過部１８ｂの面積よりも若干大きくし、低透過部１８ａが高透過部１９ｂを覆い隠すように、低透過部１８ａの方の面積を高透過部１９ｂの面積よりも若干大きくするとよい。こうすることにより、２つのスクリーン１８とスクリーン１９が重なり合ったときに、低透過部１８ａ、１９ａとで、高透過部１８ｂ、１８ａを覆い隠して、スクリーン全体を覆うことができ、完全に遮光することができる。
【００１４】
図４及び図５に示したように、一対のサイドプレート１４には、それぞれ円弧状の誘導路１４ａが形成されており、それぞれ誘導路１４ａには、距離調整部材であるバー２４の両端が摺動自在にはめ込まれている。バー２４は、巻取パイプ１６の前方側に配設されており、その一端は、前記誘導路１４ａを貫通して可動レバー２５に連結されている。可動レバー２５は、一方のサイドプレート１４の側方側に軸支されたプーリ２６に連結されており、プーリ２６には、操作コード２８が巻き掛けられている。これらのバー２４、可動レバー２５、プーリ２６及び操作コード２８によって２つのスクリーン１８，１９の距離を調整する距離調整機構が構成される。操作コード２８を操作してプーリ２６を回転させることにより可動レバー２５を動かして、バー２４を誘導路１４ａに沿って移動させることができる。バー２４は、誘導路１４ａに沿ってその前後方向の位置を変えることにより、その位置に応じてスクリーン１８に接触して、スクリーン１８の垂下する位置を規制し、よって、スクリーン１８とスクリーン１９との間の前後方向の距離を変化させることができる（図４〜図７参照）。
【００１５】
以上のように構成されるロールスクリーンにおいて、図４及び図６は、スクリーン１８とスクリーン１９との間の距離が最も大きく開いた状態、図５及び図７は、スクリーン１８とスクリーン１９との間の距離がほとんどない状態を示している。
【００１６】
図４及び図６の状態においては、スクリーン１８とスクリーン１９との前後距離が大きくなっており、スクリーン１８の低透過部１８ａまたはスクリーン１９の低透過部１９ａと他方のスクリーンの高透過部との間に距離があるために、両方の高透過部１８ｂ及び１９ｂを通り、光が透過する（図６の矢印）。よって、スクリーン１８及びスクリーン１９がいずれも完全に降りた状態であっても、光を透過させることができる。
【００１７】
一方、前記操作コード２８を操作して、スクリーン１８をスクリーン１９の方へ接近させて前後方向の距離が小さくなった図５及び図７の状態においては、スクリーン１８の低透過部１８ａまたはスクリーン１９の低透過部１９ａが他方のスクリーンの高透過部を覆い隠すために、全体のスクリーンで遮光される。
【００１８】
こうして、スクリーン１８とスクリーン１９との距離を調整することによって、透過する光量を調整することができて、調光することができる。尚、この例では、図４（図５）から図６（図７）に移動する際に、スクリーン１８が若干上下動するが、その変動は従来のようにスクリーンを上下動させて調光する場合と比較して問題となることはない。また、仮にスクリーン１８の上下動が大きいとしても遮光する際には、スクリーン１８の低透過部１８ａまたはスクリーン１９の低透過部１９ａが他方のスクリーンの高透過部を覆い隠すために、２つのスクリーン全体で遮光し、下側から光が漏れることを防ぐことができる。
【００１９】
また、スクリーン１８とスクリーン１９とは、それぞれ独立的に通常のロールスクリーンと同様の操作によって、巻取パイプ１６と巻取パイプ１７に巻取り、または巻取パイプ１６と巻取パイプ１７から巻解くことによって、昇降させることができる。例えば、スクリーン１９の柄を楽しみたいときには、図２に示すように、スクリーン１８のみを巻取パイプ１６に巻取ることによって、実現することができる。または、両方のスクリーン１８、１９を巻取ることによって、ロールスクリーンが設けられた開口部を完全に開放することもできる。こうして、ロールスクリーンの多様な態様を実現することができる。
【００２０】
図８ないし図１０は、本発明の実施形態を表す一方のサイドプレートを除いた側面図である。この例では、２つのスクリーンの前後方向の距離を変化させるための距離調整機構として、スクリーン１９の昇降を操作する昇降機構がその機構を兼用している点で参考形態と異なっている。スクリーン１８は、参考形態と同様に昇降し、巻取パイプ１６の構成は参考形態と同様となっている。これに対して、スクリーン１９が連結される巻取パイプ１７の一端側には、巻取パイプ１７に連結され巻取パイプと同心状にプーリ３０が設けられており、プーリ３０には、操作コード３２が巻き掛けられている。また、プーリ３０と巻取パイプ１７との間には図示しないクラッチ装置が巻取パイプ１７内に内蔵される。クラッチ装置は、プーリ３０からの回転を巻取パイプ１７に伝達する一方で、巻取パイプ１７からの回転は伝達せずに、その回転を阻止するように作用する。よって、操作コード３２を操作して、プーリ３０をいずれかの方向に回転させることで、巻取パイプ１７が同じ方向に回転し、その回転方向に応じて、スクリーン巻解方向の回転の場合には、スクリーン１９が巻解かれてスクリーン１９が下降し（図９）、スクリーン巻取方向の回転の場合には、スクリーン１９が巻取られてスクリーン１９が上昇する（図８参照）。また、操作コード３２を操作していない状態においては、巻取パイプ１７に作用する外力によって巻取パイプ１７が回転しようとすると、クラッチ装置によってその回転が阻止されて、スクリーン１９が停止する状態を維持する。操作コード３２にはストッパ３２ａが設けられており、操作コード３２が操作されてストッパ３２ａがプーリ３０に到達するとストッパ３２ａとプーリ３０とが干渉してプーリ３０のそれ以上の回転が阻止されるようになっている。このストッパ３２ａがプーリ３０に干渉する位置は、巻取パイプ１７が完全にスクリーン１９を巻解いた後、さらに巻取パイプ１７が半回転回転した位置に設定される。
【００２１】
以上のように構成されるロールスクリーンにおいて、図９及び図１１は、スクリーン１８とスクリーン１９との間の距離が最も大きく開いた状態、図１０及び図１２は、スクリーン１８とスクリーン１９との間の距離がほとんどない状態を示しており、さらに図９及び図１１は、スクリーン１９を巻取パイプ１７から完全に巻解いた状態である。この状態で、スクリーン１８の低透過部１８ａまたはスクリーン１９の低透過部１９ａと他方のスクリーンの高透過部との間に距離があるために、両方の高透過部１８ｂ及び１９ｂを通り、光が透過する。
【００２２】
次に、遮光を行いたい場合には、操作コード３２を操作して、巻取パイプ１７をさらにスクリーン巻解方向に半回転ほど、回転させる。すると、スクリーン１９が巻取パイプ１７から巻解かれた状態を維持しつつスクリーン１８に接近し、スクリーン１８の低透過部１８ａまたはスクリーン１９の低透過部１９ａが他方のスクリーンの高透過部を覆い隠すために、２つのスクリーン全体で遮光することができる。
【００２３】
この実施形態においては、スクリーン１８とスクリーン１９の距離が最も大きくなった図９及び図１１の状態と、スクリーン１８とスクリーン１９の距離が最も小さくなった図１０及び図１２の状態とにおいて、それぞれスクリーン１８とスクリーン１９の高さを完全に同一にすることができるという効果を奏する。また、距離調整機構を構成する操作コード３２、プーリ３０及びクラッチ装置は、昇降機構と兼用することができるために、部品点数が増加することなく、既存の部品で実現することができる。また、スクリーン１９の昇降機構と距離調整機構とを兼用したが、スクリーン１８の昇降機構と距離調整機構とを兼用させてもよく、両方のスクリーンの昇降機構と距離調整機構とを兼用してもよい。
【００２４】
以上の各形態において、２つのスクリーン１８、１９のそれぞれの高透過部と低透過部は、任意の方法で製造することができ、色、柄、織りを問わないために、安価に製造することができ、ユーザの好みの柄とすることができる。
【００２５】
尚、各形態では、スクリーン１８、１９がそれぞれ巻取パイプ１６、１７に巻取り・巻解き可能に連結されていたが、いずれか一方のスクリーンのみが巻取パイプに巻取り・巻解き可能に連結されていてもよく、他方のスクリーンは昇降しないものであってもよい。または、スクリーン１８、１９が共に同じ巻取パイプに巻取り・巻解き可能に連結されていてもよい。そして、上記距離調整機構によって２つのスクリーン１８、１９の前後方向の距離が変化可能になっているとよい。
【００２６】
また、２つのスクリーン１８，１９の前後方向の距離は、上記距離調整機構の他に任意の機構で変化させてもよく、例えば、いずれのかの巻取パイプ自体を前後方向に移動させることによって変化させることも可能である。
【００２７】
【発明の効果】
以上説明したように本発明によれば、第１スクリーンと第２スクリーンの前後方向の距離を変化させることによって、光量を調整することが可能になるため、従来のように一方のスクリーンを上下動させる必要がなく、遮光するときに、スクリーンの下側が開いたりすることを回避することができる。
【図面の簡単な説明】
【図１】  本発明の参考形態に係るロールスクリーンの全体斜視図である。
【図２】  参考形態に係るロールスクリーンの前側にあるスクリーンが上昇した状態を表す全体斜視図である。
【図３】  ２つのスクリーンのそれぞれの正面図である。
【図４】  ２つのスクリーンの前後方向の距離が大きい状態における参考形態に係るロールスクリーンの側面図である。
【図５】  ２つのスクリーンの前後方向の距離が小さい状態における参考形態に係るロールスクリーンの側面図である。
【図６】  ２つのスクリーンの前後方向の距離が大きい状態における参考形態に係るロールスクリーンの図１の６−６線に沿って見た断面図である。
【図７】  ２つのスクリーンの前後方向の距離が小さい状態における参考形態に係るロールスクリーンの図１の６−６線に沿って見た断面図である。
【図８】  本発明の実施形態に係るロールスクリーンの側面図（サイドブラケットを省略）であり、片方のスクリーンが上昇した状態を表す。
【図９】  ２つのスクリーンの前後方向の距離が大きい状態における実施形態に係るロールスクリーンの側面図（サイドブラケットを省略）である。
【図１０】  ２つのスクリーンの前後方向の距離が小さい状態における実施形態に係るロールスクリーンの側面図（サイドブラケットを省略）である。
【図１１】  ２つのスクリーンの前後方向の距離が大きい状態における実施形態に係るロールスクリーンの断面図である。
【図１２】  ２つのスクリーンの前後方向の距離が小さい状態における実施形態に係るロールスクリーンの断面図である。
【符号の説明】
１０  ロールスクリーン
１６、１７  巻取パイプ
１８  スクリーン（第１スクリーン）
１８ａ  低透過部
１８ｂ  高透過部
１９  スクリーン（第２スクリーン）
１９ａ  低透過部
１９ｂ  高透過部
【図１】
0003850301.tif 000002
【図２】
0003850301.tif 000003
【図３】
0003850301.tif 000004
【図４】
0003850301.tif 000005
【図５】
0003850301.tif 000006
【図６】
0003850301.tif 000007
【図７】
0003850301.tif 000008
【図８】
0003850301.tif 000009
【図９】
0003850301.tif 000010
【図１０】
0003850301.tif 000011
【図１１】
0003850301.tif 000012
【図１２】
0003850301.tif 000013